(57)【要約】【課題】  本発明は、鮮明度の向上及びノイズ処理が可能な映像信号処理装置及び方法を提供する。【解決手段】  本発明は、順次入力される画素を含む映像信号における前記入力画素に加重値を付与する方法において、前記入力画素及び少なくとも２つの隣接画素からなる少なくとも２つの画素ブロックを形成する段階、前記各画素ブロックの画素間の画素差を測定し、前記選択された画素差の１つを選択する段階、及び、前記選択した画素差に該当する前記入力画素加重値を割り当てる段階を含むことを特徴とする。【選択図】  図３
2005354701.tif 000002
【特許請求の範囲】
【請求項１】
順次入力される画素を含む映像信号における前記入力画素の加重値を付与する方法において、
前記入力画素及び少なくとも２つの隣接画素からなる少なくとも２つの画素ブロックを形成する段階、
前記各画素ブロックの画素間の画素差を測定し、前記測定した画素差の１つを選択する段階、及び、
前記選択した画素差に該当する前記入力画素の加重値を割り当てる段階を含むことを特徴とする前記方法。
【請求項２】
前記画素差を測定する段階は、
前記各画素ブロックの隣接画素間の画素差を順次測定する段階を含むことを特徴とする、請求項１に記載の方法。
【請求項３】
前記測定した画素差の１つを選択する段階は、
前記各画素ブロックの最大画素差を選択する段階、及び、
前記選択した各画素ブロックの最大画素差の中で最小画素差を選択する段階を含むことを特徴とする、請求項１に記載の方法。
【請求項４】
前記入力画素の加重値を割り当てる段階は、
前記選択された最小画素差が、第１設定値と同一か第１設定値より小さい場合には、“０”の画素加重値を割り当てることを特徴とする、請求項３に記載の方法。
【請求項５】
前記入力画素の加重値を割り当てる段階は、
前記選択された最小画素差が、第２設定値より大きい場合には、“１”の画素加重値を割り当てることを特徴とする、請求項４に記載の方法。
【請求項６】
前記少なくとも２つの画素ブロックは、
前記画素ブロックの中央に位置した入力画素を含む第１画素ブロック、及び、
前記画素ブロックのエッジに位置した入力画素を含む第２画素ブロックを含むことを特徴とする、請求項１に記載の方法。
【請求項７】
映像信号を処理する方法において、
ハイパスフィルタを用いて入力信号をフィルターリングする段階、
前記入力信号の画素間の画素差に応じて、前記入力信号に対応する加重値信号を生成する段階、
前記フィルターリングした入力信号と前記生成された加重値信号とを乗算する段階、
前記入力信号を遅延させる段階、及び、
前記乗算した信号と前記遅延された入力信号とを加算する段階を含むことを特徴とする前記方法。
【請求項８】
前記加重値信号を生成する段階は、
前記入力信号の前記画素を重畳した画素ブロックらで集める段階、
前記各画素ブロックの各画素に対する画素差を判断する段階、
前記各画素ブロックに対する最大画素差及び前記画素差の和を測定する段階、及び、
前記加重値信号が生成されるように、前記測定された最大画素差の最小画素値と、前記測定された画素差の和の最小値とにより、前記入力信号の各画素の加重値を判断する段階を含むことを特徴とする、請求項７に記載の方法。
【請求項９】
前記各画素ブロックの各画素に対する画素差を判断する段階は、
前記各画素ブロックの各画素と、少なくとも１つの隣接画素との間の画素差を判断することを特徴とする、請求項８に記載の方法。
【請求項１０】
前記各画素ブロックの各画素に対する画素差を判断する段階は、
前記各画素ブロックの各画素と、所定の画素個数だけ離間した画素ブロック内の少なくとも１つの他の画素との間の画素差を判断することを特徴とする、請求項８に記載の方法。
【請求項１１】
前記加重値を判断する段階は、
前記入力信号の各画素の加重値が、０〜１(０と１を含む)の領域に存在するか否かを判断することを特徴とする、請求項８に記載の方法。
【請求項１２】
前記加重値を判断する段階は、
前記測定された最大画素値の最小値と、前記測定された画素値の和の最小値とを、多数個のしきい値に比較することを特徴とする、請求項８に記載の方法。
【請求項１３】
前記加重値信号を生成する段階は、
前記入力信号の複数の平坦領域及びエッジ領域を形成する段階、及び、
前記入力信号の各画素が、前記平坦領域の１つにあるか、前記エッジ領域の１つにあるかに応じて、前記入力信号の各画素の加重値を付与する段階を含むことを特徴とする、請求項７に記載の方法。
【請求項１４】
前記入力信号の各画素の加重値を付与する段階は、
前記平坦領域の１つのみにあると判断された画素に“０”の加重値を割り当てる段階、
前記エッジ領域の１つのみにあると判断された画素に“１”の加重値を割り当てる段階、及び、
前記平坦領域の１つと前記エッジ領域の１つにある画素に“０”〜“１”の加重値を割り当てる段階を含むことを特徴とする、請求項１３に記載の方法。
【請求項１５】
前記加重値信号を生成する段階は、
前記入力信号の画素を重畳した画素ブロックで集める段階、
前記画素の１つが１つ以上の画素ブロックにある場合、最大画素差の最小値を判断するために、前記画素がある各画素ブロックの最大画素差を比較する段階、
前記画素差の和の最小値を判断するために、前記画素がある各画素ブロックの画素差の和を比較する段階、及び、
前記判断された最大画素差の最小値と、前記判断された画素差の和の最小値とにより、前記画素の加重値を付与する段階を含むことを特徴とする、請求項７に記載の方法。
【請求項１６】
前記加重値信号を生成する段階は、
前記画素の１つが１つの画素ブロック内のみにある場合、前記最大画素差及び前記画素のある画素ブロックの画素差の和により、画素の加重値を付与する段階をさらに含むことを特徴とする、請求項１５に記載の方法。
【請求項１７】
順次入力される画素を含む映像信号における前記入力画素に加重値を割り当てる装置において、
前記入力画素及び少なくとも２つの隣接画素を含む少なくとも２つの画素ブロックを形成し、前記各画素ブロックの画素間の画素差を測定して、前記画素差の１つを選択するエッジ測定部、及び、
前記選択した画素差に応じて、前記入力画素の加重値を割り当てる加重値測定部を含むことを特徴とする前記装置。
【請求項１８】
前記エッジ測定部は、前記各画素ブロックの隣接画素間の画素差を順次測定することを特徴とする、請求項１７に記載の装置。
【請求項１９】
前記エッジ測定部は、前記各画素ブロック内の最大画素差を選択し、前記選択された最大画素差の中で最小画素差を選択することを特徴とする、請求項１７に記載の装置。
【請求項２０】
前記選択された最小画素差が、第１設定値と同一か第１設定値より小さい場合、前記加重値測定部は、前記入力画素の加重値として“０”を割り当てることを特徴とする、請求項１９に記載の装置。
【請求項２１】
前記選択された最小画素差が、第２設定値より大きい場合、前記加重値測定部は、前記入力画素の加重値として“１”を割り当てることを特徴とする請求項２０に記載の前記装置。
【請求項２２】
前記エッジ測定部は、前記画素ブロックの中央に位置した入力画素を含む第１画素ブロック、及び、前記画素ブロックのエッジに位置した入力画素を含む第２画素ブロックを含む画素ブロックを形成することを特徴とする、請求項１７に記載の装置。
【請求項２３】
映像信号を処理する装置において、
入力信号を遅延させる信号遅延器、
前記入力信号の画素間の画素差に応じて、前記入力信号に対応する加重値信号を生成する信号加重値付与部、
前記入力信号をフィルターリングするハイパスフィルタ、
乗算した信号を出力するために、前記フィルターリングした信号と前記加重値信号とを乗算する乗算部、及び、
出力信号を出力するために、前記乗算した信号と前記遅延された入力信号とを加算する加算部を含むことを特徴とする前記装置。
【請求項２４】
前記信号加重値付与部は、
前記入力信号の画素を複数の重畳した画素ブロックで集め、各画素ブロックの画素と各画素ブロックの他の画素との間の画素差を判断し、各画素ブロックに対する最大画素差と、測定された画素差の和とを測定するエッジ測定部、及び、
前記測定された最大画素差の最小値と、前記測定された画素差の和の最小値とにより、前記入力信号の各画素に対する加重値を測定し、加重値信号が前記測定された加重値により生成されるように、前記入力信号の各画素に対する前記測定された加重値を含む加重値信号を出力する加重値測定部を含むことを特徴とする、請求項２３に記載の装置。
【請求項２５】
各画素に対する前記測定された加重値は０〜１(０と１を含む)に存在することを特徴とする、請求項２４に記載の装置。
【請求項２６】
前記信号加重値付与部は、設定のゲインに応じて、前記加重値測定部から出力された前記加重値信号を乗算するゲイン乗算部をさらに含むことを特徴とする、請求項２４に記載の装置。
【請求項２７】
前記エッジ測定部は、各画素ブロックの各画素と、少なくとも一つの隣接画素との間の画素差を判断することを特徴とする、請求項２４に記載の装置。
【請求項２８】
前記エッジ測定部は、各画素ブロックの各画素と、設定個数の画素だけ離間した前記画素ブロック内の少なくとも１つの画素との間の画素差を判断することを特徴とする、請求項２４に記載の装置。
【請求項２９】
前記信号加重値付与部は、前記入力信号の画素間の画素差に応じて、前記入力信号のエッジ領域及び平坦領域を形成し、
前記形成された平坦領域及びエッジ領域により、前記入力信号の画素の加重値を付与することを特徴とする、請求項２３に記載の装置。
【請求項３０】
前記信号加重値付与部は、前記入力信号の画素の１つが前記平坦領域の１つのみにあると判断して、前記画素の加重値を“０”として付与することを特徴とする、請求項２９に記載の装置。
【請求項３１】
前記信号加重値付与部は、前記入力信号の画素の１つが前記エッジ領域の１つのみにあると判断して、前記画素の加重値を“１”として付与することを特徴とする、請求項２９に記載の装置。
【請求項３２】
前記信号加重値付与部は、前記入力映像信号の画素の１つが前記平坦領域の１つ及び前記エッジ領域の１つにあると判断して、前記画素の加重値を“０”〜“１”として付与することを特徴とする、請求項２９に記載の装置。
【発明の詳細な説明】
【技術分野】
【０００１】
本発明は、鮮明度を向上させながらノイズ処理が可能な映像信号処理装置及び方法に関し、より詳しくは、入力された映像信号に含まれたノイズ信号の除去及びエッジの鮮明度の改善により、映像の解像度を向上させる、ノイズ処理が可能なエッジ向上に対する映像信号処理装置及び方法に関する。
【背景技術】
【０００２】
ディスプレイ装置の主流をなすＣＲＴ(Ｃａｔｈｏｄｅ  Ｒａｙ  Ｔｕｂｅ)は、電子ビームを表示領域に偏向させるために、電子銃と蛍光面との間が一定の距離以上を確保しなければならない。このため、ＣＲＴは、画面の大きさに比べて相対的に体積が大きく、重量が重く、画面の平面化や大型化に限界があった。また、科学の急激な発展及び生活の充足化に伴い、ディスプレイ装置の高級化、高品質化及び大型化の要望が大きくなっている。
【０００３】
近年、このような要望及びＣＲＴの問題点を克服するために、ＬＣＤ(Ｌｉｑｕｉｄ  Ｃｒｙｓｔａｌ  Ｄｉｓｐｌａｙ)、ＰＤＰ(Ｐｌａｓｍａ  Ｄｉｓｐｌａｙ  Ｐａｎｅｌ)、プロジェクションＴＶなどが新しく台頭した。このようなディスプレイ装置は、薄厚、軽量、大画面化が可能となった。
【０００４】
しかしながら、ＰＤＰやプロジェクションＴＶのようなディスプレイ装置は、画面の大きさが大型化するにつれて、ノイズ信号、ブレ(ｂｌｕｒｒｉｎｇ)、入力映像信号の信号帯域制限による低解像度の出力映像信号の再生がよく発生する。特に、入力映像信号に含まれたノイズ信号は、再生される出力映像信号の全体的な鮮明度や輪郭線の鮮明度などを減少させる主要因となっている。
【０００５】
図１は従来のノイズ処理のための映像信号処理装置を示すブロック図である。
同図を参照すれば、従来の映像信号処理装置は、ハイパスフィルタ(Ｈｉｇｈ  Ｐａｓｓ  Ｆｉｌｔｅｒ：ＨＰＦ)１００、コアリング(ｃｏｒｉｎｇ)部１０２、乗算部１０４、信号遅延部１０８及び加算部１０６を持つ。映像信号処理装置の信号処理過程を、図２Ａ乃至図２Ｅを参照して説明する。
【０００６】
図２ＡはＨＰＦ１００から入力される信号(ｉｎｐｕｔ)の波形を示す。図２Ａのｎ１及びｎ２は振幅が小さい第１及び第２ノイズ信号、Ｓはノーマル信号という。ＨＰＦ１００は、入力される信号(ｉｎｐｕｔ)をフィルターリングして、図２Ｂのような高周波信号(Ｈｉｇｈ  Ｆｒｅｑｕｅｎｃｙ：ＨＦ)を出力する。
コアリング部１０２は、高周波信号に含まれたノイズ信号ｎ１、ｎ２の増幅(ｂｏｏｓｔ-ｕｐ)を防止する。コアリング部１０２は、入力信号に対して既設定のしきい範囲((-Ｔ)〜(+Ｔ))を逸脱した成分の高周波信号、即ち、図２Ｃに示す信号を出力する。図２Ｃを参照すれば、既設定のしきい値(-Ｔ)〜(+Ｔ)に存在するＨＰＦ１００を通じた第１及び第２ノイズ信号ｎ１、ｎ２の高周波成分は、コアリング部１０２により除去される。
【０００７】
乗算部１０４は、コアリング部１０２から出力された信号(Ｃ)に(+)または(-)の値を持つゲイン(ｇａｉｎ)を乗算する。信号遅延部１０８は入力信号を所定時間遅延後に出力する。
加算部１０６は、乗算部１０４から出力された信号と信号遅延部１０８から出力された信号とを加算する。加算部１０６から出力される信号は、図２Ｄまたは図２Ｅのような波形を持つ。図２Ｄはコアリングを行わない信号(Ｂ)と遅延信号(Ａ)とを加算した信号であり、図２Ｅはコアリングを行った信号(Ｃ)と遅延信号(Ａ)とを加算した信号である。
【０００８】
図２Ｄを参照すれば、ノーマル信号がＳからＳ’に変化して鮮明度が向上したことが分かる。ところで、第１及び第２ノイズ信号も、ｎ１、ｎ２からｎ１’、ｎ２’に変化して鮮明度が向上したことが分かる。図２Ｅを参照すれば、ノイズ信号とノーマル信号ともほぼ変化しないことが分かる。
このような従来の映像信号処理装置は、入力される映像信号に含まれた振幅が小さいノイズ信号の増幅(ｂｏｏｓｔ-ｕｐ)は防止し、ノーマル信号の振幅は増加させて、映像信号の鮮明度を向上させる。
【０００９】
しかしながら、従来の映像信号処理装置は、ノイズ信号が少ない映像信号のノイズ処理に適するが、ＲＦ映像信号のようにノイズ信号が多いか輪郭成分が多い高周波信号の場合は、ノイズ信号の増幅を防止した後、もとの入力信号(ｉｎｐｕｔ)と加算すれば、輪郭成分の強調とともにノイズ信号も増幅される。つまり、ノイズ信号の増幅防止だけでは、画面に具現される映像の鮮明度や解像度を向上させるのに限界がある。
【発明の開示】
【発明が解決しようとする課題】
【００１０】
従って、本発明の目的は、入力された映像信号に含まれたノイズ信号を除去しながら、エッジの鮮明度を高めることにより、映像信号の解像度を向上させる、ノイズ処理が可能な映像信号処理装置を提供することにある。
【課題を解決するための手段】
【００１１】
前記目的を達成するために、本発明は、順次入力される画素を含む映像信号における前記入力画素の加重値を付与する方法において、前記入力画素及び少なくとも２つの隣接画素からなる少なくとも２つの画素ブロックを形成する段階、前記各画素ブロックの前記画素間の画素磋を測定し、前記測定した画素磋の１つを選択する段階、及び前記選択された画素差に該当する前記入力画素差の加重値を割り当てる段階を含むことを特徴とする。
【００１２】
また、本発明は、順次入力される画素を含む映像信号における前記入力画素に加重値を割り当てる装置において、前記入力画素及び少なくとも２つの隣接画素を含む少なくとも２つの画素ブロックを形成し、前記各画素ブロックの画素間の画素差を測定して、前記画素差の１つを選択するエッジ測定部、及び、前記選択した画素差に応じて、前記入力画素の加重値を割り当てる加重値測定部を含むことを特徴とする。
【発明の効果】
【００１３】
本発明は、入力される画素の位置領域によって異なる加重値を割り当てることにより、入力される画素の鮮明度を向上させる。即ち、映像でエッジがないような所(平坦領域)の小さいノイズや、大きいエッジ周囲のノイズを増幅しないことにより、画素の鮮明度を向上させることができる。
【発明を実施するための最良の形態】
【００１４】
以下、添付図面に基づき、本発明をより詳細に説明する。
図３は本発明に係るノイズ処理のための映像信号処理装置を示すブロック図である。映像信号処理装置は、信号遅延部３００、エッジ測定部３０２、加重値測定部３０４、乗算器３０６、３０８、加算器３１０及びハイパスフィルタ３１２からなる。
映像信号処理装置は、前記構成の以外に他の構成を含むことができるが、図３は、説明の便宜上、前記構成で限定して示す。以下、本発明の主要な技術思想であるエッジ測定部及び加重値測定部を中心として説明する。
【００１５】
エッジ測定部３０２は、入力された画素がエッジ領域にあるか平坦領域にあるかの判断を行う。以下、エッジ測定部３０２で行われる動作を、図４乃至図６を用いて説明する。
図４は入力される画素を示す。同図によれば、入力される画素は(ｎ-８)〜(ｎ+８)からなる。(ｎ-８)画素が最初入力される画素であり、(ｎ+８)画素が最後入力される画素である。エッジ測定部３０２は、現在入力される画素がエッジ領域にあるか平坦領域にあるかの判断を行うために、入力される画素が含まれるように３つの画素ブロックを形成する。図５によれば、画素ブロックは９つの画素からなる。画素ブロックを構成する画素の個数はユーザーの設定によって異なることは自明である。３つの画素ブロックはＰＢ１〜ＰＢ３である。ＰＢ１は入力される画素が中央に位置するように画素ブロックを形成し、ＰＢ２は入力される画素が右側に位置するように画素ブロックを形成し、ＰＢ３は入力される画素が左側に位置するように画素ブロックを形成する。以下、各画素ブロックで入力される画素に対するエッジの測定過程について説明する。
【００１６】
図５は本発明に係る画素ブロックで入力される画素に対するエッジの測定例を示す。上述したように、画素ブロックは９つの画素からなるが、これに限定されるものではない。
エッジ測定部３０２は、画素ブロックを構成する画素間の差を求める。図５は画素間の差を測定する２つの方法を示す。第一の方法(ａ)は隣接画素間の差を測定し、第二の方法(ｂ)は非隣接画素間の差を測定する。以下、各方法について詳細に説明する。
【００１７】
第一の方法は、例えば、Ｐ０とＰ１の画素差、Ｐ１とＰ２の画素差、Ｐ２とＰ３の画素差を順次計算する。第二の方法は、例えば、Ｐ０とＰ２の画素差、Ｐ１とＰ３の画素差、Ｐ２とＰ４の画素差を順次計算する。第二の方法は、１つの画素のみによって分離された画素に限定されるものではない。計算された画素差はエッジの判断に使用される。
つまり、ユーザーの設定によって、少なくとも２つの画素差を持つ画素間の画素差を測定できるが、エッジを正確に測定するには、隣接画素間の画素差を測定することが好ましい。エッジ測定部３０２は、画素ブロックＰＢ１で求めた値を下記式(1)及び式(2)のような値を抽出する。
【００１８】
【数１】
2005354701.tif 000003
【００１９】
【数２】
2005354701.tif 000004
【００２０】
diff_0はＰ０とＰ１の画素差、diff_1はＰ１とＰ２の画素差、diff_7はＰ７とＰ８の画素差という。以下、diff_maxは最大画素差、diff_sumは画素差の和という。エッジ測定部３０２は、上記式(1)により最大画素差を抽出し、上記式(2)により画素差の和を抽出する。
【００２１】
エッジ測定部３０２は、全ての画素ブロックに対して画素差を測定し、測定した画素差を用いて、上記式(1)と式(2)により最大画素差と和を抽出する。
エッジ測定部３０２は、各画素ブロックで求めた最大画素差と和の最小値を選択する。下記式(3)と式(4)は、エッジ測定部３０２で行われる動作を表される。
【００２２】
【数３】
2005354701.tif 000005
【００２３】
【数４】
2005354701.tif 000006
【００２４】
エッジ測定部３０２は、上記式(3)を用いて最大画素差の中で最小画素差を抽出し、上記式(4)を用いて画素値の和の中で最小値を抽出する。
【００２５】
図６Ａ乃至図６Ｃは上記式(1)〜式(4)により画素ブロックを選択する過程を示す。図６Ａは平坦領域にある画素に対するエッジの測定例を示し、図６Ｂ及び図６Ｃは平坦領域とエッジ領域の境界部にある画素に対するエッジの測定例を示す。
図６Ａは測定したい画素を含む３つの画素ブロックを形成し、各画素ブロックでの画素差を求める。ＰＢ１を構成する画素は、平坦領域に位置するので、画素間の画素差が小さい。ＰＢ２、ＰＢ３を構成する画素は、平坦領域とエッジ領域に位置するので、ＰＢ１に比べて画素間の画素差が大きい。よって、図６Ａにおいて、エッジ測定部３０２はＰＢ１を選択することになる。
【００２６】
図６Ｂにおいて、ＰＢ３がＰＢ１、ＰＢ２に比べて相対的に小さい画素差を持つので、エッジ測定部３０２はＰＢ３を選択することになる。図６Ｃにおいて、ＰＢ２がＰＢ１、ＰＢ３に比べて相対的に小さい画素差を持つので、エッジ測定部３０２はＰＢ２を選択することになる。
上記式(3)と式(4)で測定した値は加重値測定部３０４に伝達される。加重値測定部３０４は、伝達された値を用いて加重値を生成する。
【００２７】
図７は加重値測定部３０４での加重値の測定例を示す。同図に示すように、平坦領域に位置する画素に対する加重値は０であり、エッジ領域に位置する画素に対する加重値は１である。平坦領域とエッジ領域とからなる境界領域に位置する画素に対する加重値は０〜１の値を持つ。
【００２８】
以下、図８を用いて、加重値測定部３０４での加重値の測定過程を詳細に説明する。
Ｓ８００段階において、加重値測定部３０４は３つのしきい値を設定する。３つのしきい値はＴＨ１、ＴＨ２、ＴＨ３である。ＴＨ２はＴＨ１より大で、ＴＨ３より小である。しきい値はユーザーの設定によって異なる。
Ｓ８０２段階において、加重値測定部３０４は、式(3)で求めた値(diff_max)とＴＨ１とを比較する。比較の結果、(diff_max)がＴＨ１より小さいか同一であればＳ８０４段階に移動し、(diff_max )がＴＨ１より大きければＳ８０６段階に移動する。加重値測定部３０４はＳ８０４段階で加重値を０として割り当てる。
【００２９】
Ｓ８０６段階において、加重値測定部３０４はａを測定する。ａは上記式(4)で求めたdiff_sumを用いる。即ち、ａは(diff_sum-TH2)/TH3である。加重値測定部３０４は、Ｓ８０８段階においてａが０より小さいか同一であるかを比較する。比較の結果、ａが０より小さいか同一であればＳ８０４段階に移動し、ａが０より大きければＳ８１０段階に移動する。
加重値測定部３０４は、Ｓ８１０段階において、ａが１より大きいか同一であるかを比較する。比較の結果、ａが１より大きいか同一であればＳ８１２段階に移動し、ａが１より小さければＳ８１４段階に移動する。Ｓ８１２段階において、加重値測定部３０４は加重値を１として割り当て、Ｓ８１４段階において、加重値測定部３０４は加重値をＡとして割り当てる。
【００３０】
図９Ａ乃至図９Ｄは、図８に示す過程により、加重値測定部３０４で加重値を設定する例を示す。
図９Ａは現在画素がエッジのない平坦領域に位置する。但し、極小のノイズだけある領域と判断されれば、加重値は０として割り当てられる。図９Ｂによれば、現在画素が位置する領域は極小のエッジであることもあり、ノイズであることもできるので、diff_maxとdiff_sumの値によって０〜１の値を持つ。
図９Ｃ及び図９Ｄによれば、現在画素が、小さいエッジからなる領域、又は大きいエッジからなる領域に位置すれば、加重値は１として割り当てられる。
加重値測定部３０４で測定した加重値は乗算器３０６に伝達される。乗算器３０６は加重値測定部３０４から伝達された加重値とゲインとを乗算する。ゲインを測定する過程については省略する。
【００３１】
ハイパスフィルタ３１２は、入力された信号に対するフィルターリングを行った後乗算器３０８に伝達する。乗算器３０８は、ハイパスフィルタ３１２から伝達された信号と乗算器３０６から伝達された信号とを乗算する。乗算器３０８は乗算した信号を加算器３１０に伝達する。加算器３１０は、信号遅延部３００から伝達された遅延信号と乗算器３０８から伝達された信号とを加算した後出力する。信号遅延部３００で行われる動作は、図１の信号遅延部１０８で行われる動作と同様である。
【００３２】
図１０Ａ乃至図１０Ｅは図３の構成に入力された信号を処理する過程を示す。図１０Ａは入力信号(ｉｎｐｕｔ)の波形を示す。図１０Ａのｎ１及びｎ２は振幅が小さい第１及び第２ノイズ信号、Ｓはノーマル信号という。図１０Ｂはハイパスフィルタ３１２により入力信号(ｉｎｐｕｔ)をフィルターリングした後出力される信号である。
【００３３】
図１０Ｃは入力信号がエッジ測定部３０２及び加重値測定部３０４により測定した加重値を示し、図１０Ｄは図１０Ｂに示す信号と図１０Ｃに示す信号とを乗算した信号を示し、図１０Ｅは図１０Ａに示す信号と図１０Ｄに示す信号とを加算した信号を示す。
図１０Ａに示す信号と図１０Ｅに示す信号とを比較すれば、第１及び第２ノイズ信号は増幅されないのに対し、Ｓ(ノーマル信号)は増幅される。よって、鮮明度も向上する。
【００３４】
以上で代表的な実施例により本発明を詳細に説明したが、本発明の属する技術分野における通常の知識を有した者は、上述した実施例に対して本発明の技術から逸脱しない範囲内で多様に変形できることがわかる。よって、本発明の権利範囲は、前記実施例に限定されるものではなく、特許請求の範囲だけでなく特許請求の範囲と均等なもの等により決まらなければならない。
【産業上の利用可能性】
【００３５】
本発明は、映像信号処理装置などに適用されることができる。
【図面の簡単な説明】
【００３６】
【図１】従来の映像信号処理装置を示す図である。
【図２Ａ】図１の映像信号処理装置を用いて処理した信号を示す図である。
【図２Ｂ】図１の映像信号処理装置を用いて処理した信号を示す図である。
【図２Ｃ】図１の映像信号処理装置を用いて処理した信号を示す図である。
【図２Ｄ】図１の映像信号処理装置を用いて処理した信号を示す図である。
【図２Ｅ】図１の映像信号処理装置を用いて処理した信号を示す図である。
【図３】本発明に係る映像信号処理装置を示す図である。
【図４】本発明に係るエッジを測定するための画素ブロックを示す図である。
【図５】画素ブロックで画素間の画素差を求める例を示す図である。
【図６Ａ】複数の画素ブロックの中で加重値計算に使用される画素ブロックを選択する例を示す図である。
【図６Ｂ】複数の画素ブロックの中で加重値計算に使用される画素ブロックを選択する例を示す図である。
【図６Ｃ】複数の画素ブロックの中で加重値計算に使用される画素ブロックを選択する例を示す図である。
【図７】平坦領域とエッジ領域に加重値を割り当てる例を示す図である。
【図８】本発明に係る加重値計算部で行われる動作を示す図である。
【図９Ａ】本発明に係る入力信号の特性に加重値の割り当てを異ならせた例を示す図である。
【図９Ｂ】本発明に係る入力信号の特性に加重値の割り当てを異ならせた例を示す図である。
【図９Ｃ】本発明に係る入力信号の特性に加重値の割り当てを異ならせた例を示す図である。
【図９Ｄ】本発明に係る入力信号の特性に加重値の割り当てを異ならせた例を示す図である。
【図１０Ａ】図３の映像信号処理装置を用いて処理した信号を示す図である。
【図１０Ｂ】図３の映像信号処理装置を用いて処理した信号を示す図である。
【図１０Ｃ】図３の映像信号処理装置を用いて処理した信号を示す図である。
【図１０Ｄ】図３の映像信号処理装置を用いて処理した信号を示す図である。
【図１０Ｅ】図３の映像信号処理装置を用いて処理した信号を示す図である。
【符号の説明】
【００３７】
３００    信号遅延部
３０２    エッジ測定部
３０４    加重値測定部
３０６、３０８    乗算器
３１０    加算器
３１２    ハイパスフィルタ
【図１】
2005354701.tif 000007
【図２Ａ】
2005354701.tif 000008
【図２Ｂ】
2005354701.tif 000009
【図２Ｃ】
2005354701.tif 000010
【図２Ｄ】
2005354701.tif 000011
【図２Ｅ】
2005354701.tif 000012
【図３】
2005354701.tif 000013
【図４】
2005354701.tif 000014
【図５】
2005354701.tif 000015
【図６Ａ】
2005354701.tif 000016
【図６Ｂ】
2005354701.tif 000017
【図６Ｃ】
2005354701.tif 000018
【図７】
2005354701.tif 000019
【図８】
2005354701.tif 000020
【図９Ａ】
2005354701.tif 000021
【図９Ｂ】
2005354701.tif 000022
【図９Ｃ】
2005354701.tif 000023
【図９Ｄ】
2005354701.tif 000024
【図１０Ａ】
2005354701.tif 000025
【図１０Ｂ】
2005354701.tif 000026
【図１０Ｃ】
2005354701.tif 000027
【図１０Ｄ】
2005354701.tif 000028
【図１０Ｅ】
2005354701.tif 000029